(57)【特許請求の範囲】
【請求項１】
ダーツボードの後面に形成され、ダーツボードを支持する後面ダーツボードと、前記後面ダーツボードの前面に回転自在に取り付けられ、各種ダーツゲーム用図案が設けられる前面ダーツボードと、前記後面ダーツボード及び前記前面ダーツボードの中央部に形成され、前記後面ダーツボードと前記前面ダーツボードを連結して前記前面ダーツボードを回転可能に支持する連結軸と、前記連結軸の外側の一端部に配設され、前記前面ダーツボードを回転させるボールベアリングと、前記連結軸及びボールベアリングが外部に離脱しないように、ウォッシャーを介して締結されるネジとから構成されるダーツボードの回転装置において、
前記後面ダーツボードは、前記後面ダーツボードの中央部に貫通するように形成される内径部と、前記後面ダーツボードの後面に前記ボールベアリングが嵌着可能に形成される円周凹溝部と、前記ボールベアリングが外部に離脱しないように支持する係止鍔と、から構成され、
前記前面ダーツボードは、前記前面ダーツボードの後側外周面に突出して形成される外周面突出部と、中央部に形成され前記円周凹溝部の中央部と一致するように突出して回転をガイドする中心軸と、前記中心軸の内径に一定の深さで段差をもって形成される内側段差部と、前記中心軸の中心部に前記ネジが締結されるように形成される締結溝と、から構成され、
前記連結軸は、複数個の段差部で形成され、前記中心軸の内側段差部に挿入される第１の段差部と、前記後面ダーツボードの内径部に支持されるように形成される突出支持部と、前記ボールベアリングの内径部に挿入されるように段差をもって形成される第２の段差部と、前記ネジが貫通するように中央部に貫通形成される貫通孔と、から構成されることを特徴とするダーツボードの回転装置。
【請求項２】
前記中心軸の高さは、前記外周面突出部の高さより低く形成されること、を特徴とする請求項１に記載のダーツボードの回転装置。
【請求項３】
前記後面ダーツボードの形状は矩形であること、を特徴とする請求項１に記載のダーツボードの回転装置。
【発明の詳細な説明】
【０００１】
【発明の属する技術分野】
本発明は、ダーツボードの回転装置に関し、より詳細には、前面ダーツボードの回転動作による振動で後面ダーツボードから前面ダーツボードが分離するのを防止し、かつ、円滑に回転するダーツボードの回転装置に関する。
【０００２】
【従来の技術】
一般に、回転式ダーツボードは、図２に示すように、後面ダーツボード１の前面中央部に形成された円周凹溝部４に収容されるボールベアリング１０の中央に形成された貫通孔と、前面ダーツボード２の後面中央部に形成された中心軸３とを相互結合し、中心軸３の後面に形成された締結溝９にウォッシャー７を介してネジ６を締結することにより、前面ダーツボード２の中心軸３がボールベアリング１０に直接結合される構造を有する。しかし、このような構造では、前面ダーツボード２の回転動作により生じる振動で締結溝９に締結したネジ６が緩くなり、前面ダーツボード２が後面ダーツボード１から分離したり、振動の発生が著しくなる、という問題点がある。
【０００３】
また、前面ダーツボード２においては、その内周縁の高さよりも中心軸３の高さの方が高いため、組立生産前に前面ダーツボード２を部品状態で積載及び保管するのが容易でない、という問題点もある。
【０００４】
【発明が解決しようとする課題】
本発明の目的は、前述した問題点を解決するため、前面ダーツボードの回転動作による振動を防止することにより、後面ダーツボードから前面ダーツボードが分離するのを回避し、かつ、円滑な回転が可能なダーツボードの回転装置を提供することである。また、本発明の他の目的は、部品状態で前面ダーツボードを積載及び保管することが容易なダーツボードの回転装置を提供することである。
【０００５】
【課題を解決するための手段】
上記課題を解決するため、本発明の主たる観点によれば、ダーツボードの後面に形成され、ダーツボードを支持する後面ダーツボードと、前記後面ダーツボードの前面に回転自在に取り付けられ、各種ダーツゲーム用図案が設けられる前面ダーツボードと、前記後面ダーツボード及び前記前面ダーツボードの中央部に形成され、前記後面ダーツボードと前記前面ダーツボードを連結して前記前面ダーツボードを回転可能に支持する連結軸と、前記連結軸の外側の一端部に配設され、前記前面ダーツボードを回転させるボールベアリングと、前記連結軸及びボールベアリングが外部に離脱しないように、ウォッシャーを介して締結されるネジとから構成されるダーツボードの回転装置において、前記後面ダーツボードは、前記後面ダーツボードの中央部に貫通するように形成される内径部と、前記後面ダーツボードの後面に前記ボールベアリングが嵌着可能に形成される円周凹溝部と、前記ボールベアリングが外部に離脱しないように支持する係止鍔と、から構成され、前記前面ダーツボードは、前記前面ダーツボードの後側外周面に突出して形成される外周面突出部と、中央部に形成され前記円周凹溝部の中央部と一致するように突出して回転をガイドする中心軸と、前記中心軸の内径に一定の深さで段差をもって形成される内側段差部と、前記中心軸の中心部に前記ネジが締結されるように形成される締結溝と、から構成され、前記連結軸は、複数個の段差部で形成され、前記中心軸の内側段差部に挿入される第１の段差部と、前記後面ダーツボードの内径部に支持されるように形成される突出支持部と、前記ボールベアリングの内径部に挿入されるように段差をもって形成される第２の段差部と、前記ネジが貫通するように中央部に貫通形成される貫通孔と、から構成されるダーツボードの回転装置が提供される。
【０００６】
上記記載の発明では、後面ダーツボードの中央部の円周凹溝部に収容されたボールベアリングと、前面ダーツボードの中心軸とを、連結軸にて連結して回動させる。このとき、連結軸がブッシングの役目をすることにより、前面ダーツボードの回転動作が円滑に行われ、後面ダーツボードから前面ダーツボードが分離したり、振動が発生するのを防止できる。
【０００７】
また、前記中心軸の高さは、前記外周面突出部の高さより低く形成される、如く構成すれば、前記前面ダーツボードの積載及び保管が容易になる。
【０００８】
【発明の実施の形態】
以下、添付された図面を参照しながら、本発明の望ましい実施の形態について説明する。
【０００９】
図１は、本実施形態にかかるダーツボード回転装置を示す側面断面図である。本実施形態にかかる回転装置が取り付けられたダーツボード１００は、壁にかけて使用され、壁に接触してダーツボード１００を支持する後面ダーツボード２０と、後面ダーツボード２０の前面に回転自在に取り付けられ各種ダーツゲーム用図案が設けられる前面ダーツボード３０と、後面ダーツボード２０及び前面ダーツボード３０の中央部に形成され後面ダーツボード２０と前面ダーツボード３０を連結して前面ダーツボード３０を回転可能に支持する連結軸４０と、連結軸４０の外側の一端部に配設され前面ダーツボード３０を回転させるボールベアリング６０と、連結軸４０及びボールベアリング６０が外部に離脱しないようにウォッシャー５２を介して締結されるネジ５０と、から構成される。
【００１０】
後面ダーツボード２０は、後面ダーツボード２０の中央部に貫通するように形成される内径部２２と、後面ダーツボード２０の後面にボールベアリング６０が嵌着可能に形成される円周凹溝部２４と、ボールベアリング６０が外部に離脱しないように支持する係止鍔２５、２５ａとから構成される。後面ダーツボード２０の形状は、矩形であることが好ましい。
【００１１】
ボールベアリング６０は、その外径が係止鍔２５、２５ａの内径より１〜３ｍｍ程度大きく形成されるため、一定の力で外部から押圧しながら円周凹溝部２４に挿入すると、係止鍔２５、２５ａの内径を押圧しつつ挿入され、外部に離脱しなくなる。
【００１２】
前面ダーツボード３０は、前面ダーツボード３０の後側外周面に突出して形成される外周面突出部３１と、前面ダーツボード３０の中央部に形成され、円周凹溝部２４の中央部と一致するように突出して回転をガイドする中心軸３３と、中心軸３３の内径に一定の深さで段差をもって形成される内側段差部３７と、中心軸３３の中心部にネジ５０が締結されるように形成される締結溝３５と、から構成される。
【００１３】
前面ダーツボード３０の中心軸３３の高さは、外周面突出部３１の高さより低く形成されるので、前面ダーツボード３０の保管及び運搬を効率的に行うことができ、費用を節減することができる。
【００１４】
また、後面ダーツボード２０と前面ダーツボード３０との間に連結されて媒介作用をする連結軸４０は、複数個の段差部で形成され、中心軸３３の内側段差部３７に挿入される第１の段差部４２と、後面ダーツボード２０の内径部２２に支持されるように形成される突出支持部４４と、ボールベアリング６０の内径部に挿入されるように段差をもって形成される第２の段差部４６と、ネジ５０が貫通するように中央部に貫通形成される貫通孔４８と、から構成される。
【００１５】
連結軸４０の形態は、前述した実施形態に限定されるものではなく、第１の段差部４２、突出支持部４４、及び第２の段差部４６の長さを調整することもできる。
【００１６】
前述したダーツボードの回転装置は、図１に示した円形状の後面ダーツボード２０及び前面ダーツボード３０で構成される回転式ダーツボードのみに適用されるものではなく、正方形、矩形または楕円形状の後面ダーツボード２０または前面ダーツボード３０で構成される回転式ダーツボードにも適用され得る。
【００１７】
以上、本発明に係る好適な実施の形態について説明したが、本発明はかかる構成に限定されない。当業者であれば、特許請求の範囲に記載された技術思想の範囲内において、各種の修正例および変更例を想定し得るものであり、それらの修正例および変更例についても本発明の技術範囲に包含されるものと了解される。
【００１８】
【発明の効果】
前述した本発明にかかるダーツボードの回転装置は、後面ダーツボードの中央部の円周凹溝部に収容されたボールベアリングと、前面ダーツボードの中心軸とを、連結軸にて連結して回動させる。このとき、連結軸がブッシングの役目をすることにより、前面ダーツボードの回転動作が円滑に行われ、後面ダーツボードから前面ダーツボードが分離したり、振動が発生するのを防止でき、半永久的に使用することができる。また、前面ダーツボードの中心軸の高さが外周面突出部の高さより低く構成されるので、前面ダーツボードの積載及び保管が容易になり、生産性を向上させることができる。
【図面の簡単な説明】
【図１】本実施形態にかかるダーツボード回転装置を示す側面断面図である。
【図２】従来のダーツボード回転装置を示す側面断面図である。
【符号の説明】
２０  後面ダーツボード
２４  円周凹溝部
２５、２５ａ  係止鍔
３０  前面ダーツボード
３３  中心軸
３５  締結溝
３７  内側段差部
４０  連結軸
４２  第１の段差部
４４  突出支持部
４６  第２の段差部
４８  貫通孔
５０  ネジ
５２  ウォッシャー
６０  ボールベアリング
１００  ダーツボード
【図１】
0003831678.tif 000002
【図２】
0003831678.tif 000003